(57)【要約】【課題】表示中の画像に関連する画像の存在を容易に把握することができる画像表示制御装置、画像表示装置、プログラム及び画像表示方法を提供する。【解決手段】表示手段に表示される画像を示す画像情報と該画像情報に関する少なくとも１つの付帯情報とを対応させて複数組記憶した記憶手段と、表示された複数の画像の中から何れかの画像が選択された場合に、表示された複数の画像の中に、選択された画像に対応する付帯情報と関連する付帯情報が対応して記憶された画像情報に基づいて表示された関連画像が含まれるか否かを判定する判定手段と、記憶された画像情報に基づいて、複数の画像を表示させ、複数の画像を表示させた状態で関連情報が含まれると判定された場合に、関連画像を示すマークを表示させる表示制御を行う表示制御手段（Ｓ１２５）とを備える。【選択図】図４
2014071376.tif 000002
【特許請求の範囲】
【請求項１】
表示手段に表示させる画像を示す画像情報と該画像情報に関する少なくとも１つの付帯情報とを対応させて複数組記憶した記憶手段と、
前記表示手段に表示させた複数の画像の中から何れかの画像が選択された場合に、前記記憶手段に記憶された画像情報の中に、選択された画像に対応する付帯情報と関連する付帯情報が対応して記憶された画像情報が含まれるか否かを判定する判定手段と、
前記記憶手段に記憶された画像情報に基づいて、前記表示手段に前記複数の画像を表示させ、前記判定手段により含まれると判定された画像情報に基づいた関連画像を前記表示手段に表示させた場合に、前記表示手段に表示させた関連画像に対して前記関連画像であることを示すマークを表示させる表示制御を行う表示制御手段と、
を備えた画像表示制御装置。
【請求項２】
前記表示制御手段は、前記選択された画像に対応させて複数の付帯情報が記憶されている場合には、前記複数の付帯情報を前記表示手段に表示させ、
前記判定手段は、前記表示させた複数の付帯情報の中から選択された付帯情報を、前記選択された画像に対応する付帯情報として、選択された画像に対応する付帯情報と関連する付帯情報が対応して記憶された画像情報が含まれるか否かを判定する
請求項１記載の画像表示制御装置。
【請求項３】
前記表示制御手段は、前記判定手段によって前記画像情報が含まれると判定され、かつ前記関連画像を前記表示手段に表示させておらず、かつ前記表示手段に表示させる画像をスクロールすることによって前記関連画像を表示させる場合、前記表示手段に当該関連画像の存在位置を示す位置情報を表示させる表示制御を行う
請求項１または２記載の画像表示制御装置。
【請求項４】
前記表示制御手段は、前記位置情報を、前記表示領域の端部で、かつ前記存在位置から最も近い位置に表示させる表示制御を行う
請求項３記載の画像表示制御装置。
【請求項５】
前記表示制御手段は、前記表示手段に表示させた位置情報が選択された場合に、選択された位置情報によって存在位置が示される画像を前記表示手段に表示させる表示制御を行う
請求項３または４記載の画像表示制御装置。
【請求項６】
前記表示制御手段は、前記判定手段によって含まれると判定され、かつ前記関連画像を前記表示手段に表示させておらず、前記表示手段に表示させる画像をスクロールすることによって前記関連画像を表示させる場合、前記表示手段に表示させた前記関連画像の前記位置情報の表示位置から当該関連画像の存在位置までの距離を示す情報と併せて前記位置情報を表示させる表示制御を行う
請求項３乃至５の何れか１項記載の画像表示制御装置。
【請求項７】
前記表示制御手段は、表示させた前記位置情報が示す関連画像を、前記表示手段に表示させる画像をスクロールすることによって表示させた場合、当該位置情報の表示を中止し、前記関連画像を示すマークを表示させる表示制御を行う
請求項１乃至６の何れか１項記載の画像表示制御装置。
【請求項８】
前記表示制御手段は、前記表示手段に前記マークを表示している際、該マークを非表示にさせる指示を受け付けた場合に、前記マークの表示を中止させる表示制御を行う
請求項１乃至７の何れか１項記載の画像表示制御装置。
【請求項９】
前記付帯情報は、撮影日、撮影条件、撮影場所及び撮影者の少なくとも一つを示す情報を含む
請求項１乃至８の何れか１項記載の画像表示制御装置。
【請求項１０】
前記記憶手段は、前記複数の画像情報の少なくとも１つの画像情報に対する付帯情報の入力を受け付けた場合に、受け付けた付帯情報を該画像情報に対応付けて記憶する
請求項１乃至９の何れか１項記載の画像表示制御装置。
【請求項１１】
請求項１乃至１０の何れか１項記載の画像表示制御装置と、
画像表示させると共に表示させた画像を選択するための情報を入力するタッチパネルを供えた表示手段と、
を含む画像表示装置。
【請求項１２】
コンピュータを、
表示手段に表示させた複数の画像の中から何れかの画像が選択された場合に、記憶手段に記憶された画像情報の中に、選択された画像に対応する付帯情報と関連する付帯情報が対応して記憶された画像情報が含まれるか否かを判定する判定手段と、
前記記憶手段に記憶された画像情報に基づいて、前記判定手段により含まれると判定された画像情報に基づいた関連画像を前記表示手段に表示させている場合に、前記表示手段に表示させた関連画像に対して前記関連画像であることを示すマークを表示させる表示制御を行う表示制御手段と、
として機能させるためのプログラム。
【請求項１３】
表示手段に表示させた複数の画像の中から何れかの画像が選択された場合に、記憶手段に記憶された画像情報の中に、選択された画像に対応する付帯情報と関連する付帯情報が対応して記憶された画像情報が含まれるか否かを判定する判定ステップと、
前記記憶手段に記憶された画像情報に基づいて、前記判定ステップにより含まれると判定された画像情報に基づいた関連画像を前記表示手段に表示させている場合に、前記表示手段に表示させた関連画像に対して前記関連画像であることを示すマークを表示させる表示制御を行う表示制御ステップと、
を備えた画像表示制御方法。
【発明の詳細な説明】
【技術分野】
【０００１】
本発明は、画像表示制御装置、画像表示装置、プログラム及び画像表示方法に係り、特に、各々付帯情報を有する複数の画像を表示する表示制御を行う画像表示制御装置、当該画像表示制御装置を有する画像表示装置、上記画像表示制御装置により実行されるプログラム、及び各々付帯情報を有する複数の画像を表示する画像表示制御方法に関する。
【背景技術】
【０００２】
近年、デジタルビデオカメラ、デジタル電子スチルカメラなどの撮影装置や、当該撮影装置を備えた携帯端末装置などに用いられる画像表示装置において、画像情報に関連する情報を付帯情報として当該画像情報に付帯させて記録媒体に記録する場合がある。これらの付帯情報は、例えば、撮影日時を示す情報、ＧＰＳ（Global Positioning System）等によって得られた位置を示す情報、撮影者を示す情報、ユーザ操作により設定されるイベントを示す情報、及び画像情報のフォーマットを示す情報などである。
【０００３】
これらの付帯情報は、例えば画像の再生時において、撮影日時毎やイベント毎などにグループ分けされた状態で再生する場合などに使用される。一方、画像情報を別の記録媒体に記録する場合に、撮影者毎にまたは撮影日時毎にまとめて記録したいという要望がある。そして、現在、この要望に応じて、付帯情報の要素毎にグルーピングを実行させる画像表示装置が製品化されている。このようなグルーピングの機能を備えた画像表示装置では、一般に、グループを指定するための専用キーが予め用意され、ユーザによる専用キーの操作によって画像のグループ単位での記録や画像のグループ単位での表示を容易に行うことができる。
【０００４】
しかしながら、この種の画像表示装置は、付帯情報の要素ごとに専用キーを用意する構成であった。そのため、ユーザがこのグルーピングの機能を有効活用するためには、上記の予め用意された専用キーに対応する付帯情報の種類を知悉する必要があるという問題があった。
【０００５】
この問題を解決するために、特許文献１には、画像と画像に付加されている付帯情報を再生する画像再生装置が記載されている。この画像再生装置は、ユーザによって画像が選択された場合、選択された画像の付帯情報に関わる画像を検索し、検索された画像をグループ情報として記憶する。この画像再生装置によれば、ユーザが選択した画像情報に付帯されている付帯情報を検索キーとして画像情報を検索できるので、付帯情報の内容を知らなくても、付帯情報を用いた検索が可能になる。
【先行技術文献】
【特許文献】
【０００６】
【特許文献１】特開２０１１−１０８１９０号公報
【発明の概要】
【発明が解決しようとする課題】
【０００７】
ところで、ユーザが、画像表示装置に一覧表示された複数の画像を確認している際に、複数の画像のうちの何れかの画像について、例えば同じ日時に撮影された画像など、関連する画像がある場合にその画像を確認したい状況が考えられる。この状況において、特許文献１に開示されている技術では、各画像に対応付けられた付帯情報を利用することにより当該画像に関連する画像を検索して検索結果をユーザに提示することができる。
【０００８】
特許文献１に開示されている技術では、付帯情報に基づく検索結果を一覧表示させることはできる。しかしながら、複数の画像が一覧表示した状態から検索結果が一覧表示された状態へと画面が切り替わるため、表示中の複数の画像のうちの何れかの画像に関連する画像の存在をユーザが容易に把握することができないという課題があった。
【０００９】
なお、この問題は、前述した撮影装置や、当該撮影装置を有する画像表示装置に限らず、撮影装置を有しない画像表示装置にも生じ得る問題である。
【００１０】
本発明は上記課題に鑑みてなされたものであり、表示中の画像に関連する画像の存在を容易に把握することができる画像表示制御装置、画像表示装置、プログラム及び画像表示方法を提供することを目的とする。
【課題を解決するための手段】
【００１１】
上記目的を達成するために、本発明に係る画像表示制御装置は、表示手段に表示させる画像を示す画像情報と該画像情報に関する少なくとも１つの付帯情報とを対応させて複数組記憶した記憶手段と、前記表示手段に表示させた複数の画像の中から何れかの画像が選択された場合に、前記記憶手段に記憶された画像情報の中に、選択された画像に対応する付帯情報と関連する付帯情報が対応して記憶された画像情報が含まれるか否かを判定する判定手段と、前記記憶手段に記憶された画像情報に基づいて、前記表示手段に前記複数の画像を表示させ、前記判定手段により含まれると判定された画像情報に基づいた関連画像を前記表示手段に表示させた場合に、前記表示手段に表示させた関連画像に対して前記関連画像であることを示すマークを表示させる表示制御を行う表示制御手段と、を備えている。
【００１２】
本発明に係る画像表示制御装置によれば、記憶手段により、表示手段に表示させる画像を示す画像情報と該画像情報に関する少なくとも１つの付帯情報とを対応させて複数組記憶される。
【００１３】
ここで、本発明では、判定手段により、前記表示手段に表示させた複数の画像の中から何れかの画像が選択された場合に、前記記憶手段に記憶された画像情報の中に、選択された画像に対応する付帯情報と関連する付帯情報が対応して記憶された画像情報が含まれるか否かが判定される。また、表示制御手段により、前記記憶手段に記憶された画像情報に基づいて、前記表示手段に前記複数の画像を表示させ、前記判定手段により含まれると判定された画像情報に基づいた関連画像を前記表示手段に表示させた場合に、前記表示手段に表示させた関連画像に対して前記関連画像であることを示すマークが表示される。
【００１４】
このように、本発明に係る画像表示制御装置によれば、各画像に対応付けられた付帯情報を用いて、ユーザによって選択された画像に関連する画像に、当該画像であることを示すマークを表示するので、表示中の画像に関連する画像の存在を容易に把握することができる。
【００１５】
また、本発明に係る画像表示制御装置において、前記表示制御手段は、前記選択された画像に対応させて複数の付帯情報が記憶されている場合には、前記複数の付帯情報を前記表示手段に表示させ、前記判定手段は、前記表示させた複数の付帯情報の中から選択された付帯情報を、前記選択された画像に対応する付帯情報として、選択された画像に対応する付帯情報と関連する付帯情報が対応して記憶された画像情報が含まれるか否かを判定するようにしても良い。これにより、ユーザが選択した付帯情報に関連する画像の存在を容易に把握することができる。
【００１６】
ことができる。
【００１７】
また、本発明に係る画像表示制御装置において、前記表示制御手段は、前記判定手段によって前記画像情報が含まれると判定され、かつ前記関連画像を前記表示手段に表示させておらず、かつ前記表示手段に表示させる画像をスクロールすることによって前記関連画像を表示させる場合、前記表示手段に当該関連画像の存在位置を示す位置情報を表示させる表示制御を行うようにしても良い。これにより、表示されていない画像に関連する画像の存在も把握することができる。
【００１８】
また、本発明に係る画像表示制御装置において、前記表示制御手段は、前記位置情報を、前記表示領域の端部で、かつ前記存在位置から最も近い位置に表示させる表示制御を行うようにしても良い。これにより、関連する画像が表示されていない場合であっても当該画像の存在位置を把握することができる。
【００１９】
また、本発明に係る画像表示制御装置において、前記表示制御手段は、前記表示手段に表示させた位置情報が選択された場合に、選択された位置情報によって存在位置が示される画像を前記表示手段に表示させる表示制御を行うようにしても良い。これにより、関連する画像が表示されていない場合であっても当該画像の存在を容易に把握することができる。
【００２０】
また、本発明に係る画像表示制御装置において、前記表示制御手段は、前記判定手段によって含まれると判定され、かつ前記関連画像を前記表示手段に表示させておらず、前記表示手段に表示させる画像をスクロールすることによって前記関連画像を表示させる場合、前記表示手段に表示させた前記関連画像の前記位置情報の表示位置から当該関連画像の存在位置までの距離を示す情報と併せて前記位置情報を表示させる表示制御を行うようにしても良い。これにより、関連する画像が表示されていない場合であっても当該画像の存在位置を把握することができる。
【００２１】
また、本発明に係る画像表示制御装置において、前記表示制御手段は、前記表示手段に表示させる画像をスクロールすることによって、前記表示手段に表示させている前記位置情報に対応する関連画像を表示させた場合、当該位置情報の表示を中止し、前記関連画像に対して前記マークを表示させる表示制御を行うようにしても良い。これにより、表示中の画像に関連する画像の存在を示す情報の表示を適宜終了させることができる。
【００２２】
また、本発明に係る画像表示制御装置において、前記表示制御手段は、前記判定手段によって含まれると判定され、前記付帯情報が対応付けられた画像が前記表示手段の表示領域外に位置される場合で、かつ前記表示手段による表示領域の変更によって前記表示手段により前記付帯情報が対応付けられた前記画像が前記表示手段の表示領域内となった場合、前記付帯情報が対応付けられた画像を示すマークを表示させる表示制御を行うようにしても良い。これにより、表示領域の変更によって関連する画像が表示された場合に当該画像の存在位置を容易に把握することができる。
【００２３】
また、本発明に係る画像表示制御装置において、前記表示制御手段は、前記表示手段に表示させる画像をスクロールすることによって、前記表示手段に表示させている前記位置情報に対応する関連画像を表示させた場合、当該位置情報の表示を中止し、前記関連画像に対して前記マークを表示させる表示制御を行うようにしても良い。これにより、表示領域の変更によって関連する画像が表示された場合に当該画像の存在位置を容易に把握することができる。
【００２４】
また、本発明に係る画像表示制御装置において、前記付帯情報は、撮影日時、撮影条件、撮影場所及び撮影者の少なくとも一つを含むようにしても良い。これにより、撮影によって得られた画像に関連する画像の存在を容易に把握することができる。
【００２５】
また、本発明に係る画像表示制御装置において、前記記憶手段は、前記複数の画像情報の少なくとも１つの画像情報に対する付帯情報の入力を受け付けた場合に、受け付けた付帯情報を該画像情報に対応付けて記憶するようにしても良い。これにより、
【００２６】
ことができる。
【００２７】
一方、上記目的を達成するために、本発明に係る記載の画像表示装置は、本発明に係る画像表示制御装置と、画像表示すると共に表示された画像を選択するための情報を入力するタッチパネルを供えた表示手段と、を含む。
【００２８】
従って、本発明に係る画像表示装置によれば、本発明に係る画像表示制御装置と同様に作用することができるので、本発明に係る画像表示制御装置と同様に、表示中の画像に関連する画像の存在を容易に把握することができる。
【００２９】
一方、上記目的を達成するために、本発明に係る記載のプログラムは、コンピュータを、表示手段に表示させた複数の画像の中から何れかの画像が選択された場合に、記憶手段に記憶された画像情報の中に、選択された画像に対応する付帯情報と関連する付帯情報が対応して記憶された画像情報が含まれるか否かを判定する判定手段と、前記記憶手段に記憶された画像情報に基づいて、前記判定手段により含まれると判定された画像情報に基づいた関連画像を前記表示手段に表示させている場合に、前記表示手段に表示させた関連画像に対して前記関連画像であることを示すマークを表示させる表示制御を行う表示制御手段と、として機能させるためのプログラムである。
【００３０】
従って、本発明に係るプログラムによれば、コンピュータを本発明に係る画像表示制御装置と同様に作用させることができるので、本発明に係る画像表示制御装置と同様に、表示中の画像に関連する画像の存在を容易に把握することができる。
【００３１】
また、上記目的を達成するために、本発明に係る画像表示制御方法は、表示手段に表示された複数の画像の中から何れかの画像が選択された場合に、前記表示手段に表示された複数の画像の中に、選択された画像に対応する付帯情報と関連する付帯情報が対応して記憶された画像情報に基づいて表示された関連画像が含まれるか否かを判定する判定ステップと、記憶手段に記憶された画像情報に基づいて、前記表示手段に前記複数の画像を表示させ、前記複数の画像を表示させた状態で前記判定ステップにより前記関連情報が含まれると判定された場合に、前記表示手段に前記関連画像を示すマークを表示させる表示制御を行う表示制御ステップと、を備える。
【００３２】
従って、本発明に係る画像表示制御方法によれば、本発明に係る画像表示制御装置と同様に作用することができるので、本発明に係る画像表示制御装置と同様に、表示中の画像に関連する画像の存在を容易に把握することができる。
【発明の効果】
【００３３】
本発明によれば、表示中の画像に関連する画像の存在を容易に把握することができる、という効果を奏する。
【図面の簡単な説明】
【００３４】
【図１】実施形態に係るスマートフォンの外観を示す斜視図である。
【図２】実施形態に係るスマートフォンの構成を示すブロック図である。
【図３】実施形態に係る付帯情報の一例を示す模式図である。
【図４】第１実施形態に係る表示制御処理プログラムの処理の流れを示すフローチャートである。
【図５】実施形態に係る表示制御処理プログラムの実行により表示される画面の構成例を示す構成図である。
【図６】実施形態に係る表示制御処理プログラムの実行により表示される画面の構成例を示す構成図である。
【図７】実施形態に係る表示制御処理プログラムの実行により表示される画面の構成例を示す構成図である。
【図８】実施形態に係る表示制御処理プログラムの実行により表示される画面の構成例を示す構成図である。
【図９】実施形態に係る表示制御処理プログラムの実行により表示される画面の構成例を示す構成図である。
【図１０】実施形態に係る表示制御処理プログラムの実行により表示される画面の構成例を示す構成図である。
【図１１】実施形態に係る表示制御処理プログラムの実行により表示される画面の構成例を示す構成図である。
【図１２】実施形態に係る表示制御処理プログラムの実行により表示される画面の他の構成例を示す構成図である。
【図１３】第２実施形態に係る表示制御処理プログラムの処理の流れを示すフローチャートである。
【発明を実施するための形態】
【００３５】
以下、図面を参照して、本発明を実施するための形態について詳細に説明する。なお、本実施形態では、本発明をスマートフォンに適用した場合を例に挙げて説明するが、これに限らず、本発明は、例えば、携帯電話機、ＰＤＡ（Personal Digital Assistants）、携帯型ゲーム機等、表示画面を有する他の装置に適用可能であることは言うまでもない。
【００３６】
〔第１実施形態〕
【００３７】
図１に示すスマートフォン１０は、平板状の筐体１２を有し、筐体１２の一方の面に表示部としての表示パネル１４Ａと、入力部としての操作パネル１４Ｂとが一体となった表示入力部１４を備えている。また、係る筐体１２は、スピーカ１６と、マイクロホン１８と、操作部２０と、カメラ部２２とを備えている。なお、筐体１２の構成はこれに限定されず、例えば、折り畳み構造やスライド機構を有する構成を採用したりすることもできる。
【００３８】
図２に示すように、スマートフォン１０の主たる構成要素として、無線通信部２４と、表示入力部１４と、通話部２６と、操作部２０と、カメラ部２２と、記憶部２８と、外部入出力部３０とを備えている。また、スマートフォン１０の主たる構成要素として、ＧＰＳ（Global Positioning System）受信部３２と、モーションセンサ部３４と、電源部３６と、主制御部３８とを備える。さらに、スマートフォン１０の主たる機能として、基地局装置と移動通信網とを介した移動無線通信を行う無線通信機能を備える。
【００３９】
無線通信部２４は、主制御部３８の指示にしたがって、移動通信網に収容された基地局装置に対し無線通信を行うものである。係る無線通信を使用して、音声データ、画像データ等の各種ファイルデータ、電子メールデータなどの送受信や、ウェブデータやストリーミングデータなどの受信を行う。
【００４０】
表示入力部１４は、主制御部３８の制御により、画像（静止画像および動画像）や文字情報などを表示して視覚的にユーザに情報を伝達するとともに、表示した情報に対するユーザ操作を検出する、いわゆるタッチパネルディスプレイである。表示入力部１４は、表示パネル１４Ａと、操作パネル１４Ｂとを備える。
【００４１】
表示パネル１４Ａは、ＬＣＤ（Liquid Crystal Display）、ＯＥＬＤ（Organic Electro-Luminescence Display）などを表示デバイスとして用いたものである。操作パネル１４Ｂは、表示パネル１４Ａの表示面上に表示される画像を視認可能に載置され、ユーザの指や尖筆によって操作される一又は複数の座標を検出するデバイスである。係るデバイスをユーザの指や尖筆によって操作すると、操作に起因して発生する検出信号を主制御部３８に出力する。次いで、主制御部３８は、受信した検出信号に基づいて、表示パネル１４Ａ上の操作位置（座標）を検出する。
【００４２】
なお、表示領域の大きさと表示パネル１４Ａの大きさとを完全に一致させても良いが、両者を必ずしも一致させる必要は無い。また、操作パネル１４Ｂで採用される位置検出方式としては、マトリクススイッチ方式、抵抗膜方式、表面弾性波方式、赤外線方式、電磁誘導方式、静電容量方式などが挙げられ、いずれの方式を採用することもできる。
【００４３】
通話部２６は、スピーカ１６やマイクロホン１８を備え、マイクロホン１８を通じて入力されたユーザの音声を主制御部３８にて処理可能な音声データに変換して主制御部３８に出力したり、無線通信部２４あるいは外部入出力部３０により受信された音声データを復号してスピーカ１６から出力するものである。また、図１に示すように、例えば、スピーカ１６を表示入力部１４が設けられた面と同じ面に搭載し、マイクロホン１８を筐体１２の側面に搭載することができる。
【００４４】
操作部２０は、キースイッチなどを用いたハードウェアキーであって、ユーザからの指示を受け付けるものである。例えば、図１に示すように、操作部２０は、スマートフォン１０の筐体１２の側面に搭載され、指などで押下されるとオンとなり、指を離すとバネなどの復元力によってオフ状態となる押しボタン式のスイッチである。
【００４５】
記憶部２８は、主制御部３８の制御プログラムや制御データ、アプリケーションソフトウェア、通信相手の名称や電話番号などを対応づけたアドレスデータ、送受信した電子メールのデータ、ウェブブラウジングによりダウンロードしたウェブデータや、ダウンロードしたコンテンツデータを記憶し、またストリーミングデータなどを一時的に記憶するものである。また、記憶部２８は、スマートフォン内蔵の内部記憶部２８Ａと着脱自在な外部メモリスロットを有する外部記憶部２８Ｂにより構成される。なお、記憶部２８を構成するそれぞれの内部記憶部２８Ａと外部記憶部２８Ｂは、フラッシュメモリタイプ（flash memory type）、ハードディスクタイプ（hard disk type）、マルチメディアカードマイクロタイプ（multimedia card micro type）、カードタイプのメモリ（例えば、ＭｉｃｒｏＳＤ（登録商標）メモリ等）、ＲＡＭ（Random Access Memory）、ＲＯＭ（Read Only Memory）などの格納媒体を用いて実現される。
【００４６】
外部入出力部３０は、スマートフォン１０に連結される全ての外部機器とのインターフェースの役割を果たすものであり、他の外部機器に通信等（例えば、ユニバーサルシリアルバス（ＵＳＢ）、ＩＥＥＥ１３９４など）又はネットワーク（例えば、インターネット、無線ＬＡＮ、ブルートゥース（Bluetooth）（登録商標）、ＲＦＩＤ（Radio Frequency Identification）、赤外線通信（Infrared Data Association：ＩｒＤＡ）（登録商標）、ＵＷＢ（Ultra Wideband）（登録商標）、ジグビー（ZigBee）（登録商標）など）により直接的又は間接的に接続するためのものである。
【００４７】
スマートフォン１０に連結される外部機器としては、例えば、有／無線ヘッドセット、有／無線外部充電器、有／無線データポート、カードソケットを介して接続されるメモリカード（Memory card）やＳＩＭ（Subscriber Identity Module Card）／ＵＩＭ（User Identity Module Card）カード、オーディオ・ビデオＩ／Ｏ（Input/Output）端子を介して接続される外部オーディオ・ビデオ機器、無線接続される外部オーディオ・ビデオ機器、有／無線接続されるスマートフォン、有／無線接続されるパーソナルコンピュータ、有／無線接続されるＰＤＡ、有／無線接続されるパーソナルコンピュータ、イヤホンなどがある。外部入出力部３０は、このような外部機器から伝送を受けたデータをスマートフォン１０の内部の各構成要素に伝達することや、スマートフォン１０の内部のデータが外部機器に伝送されるようにすることができる。
【００４８】
ＧＰＳ受信部３２は、主制御部３８の指示にしたがって、ＧＰＳ衛星ＳＴ１〜ＳＴｎから送信されるＧＰＳ信号を受信し、受信した複数のＧＰＳ信号に基づく測位演算処理を実行し、当該スマートフォン１０の緯度、経度、高度からなる位置を検出する。ＧＰＳ受信部３２は、無線通信部２４や外部入出力部３０（例えば、無線ＬＡＮ）から位置情報を取得できる時には、その位置情報を用いて位置を検出することもできる。
【００４９】
モーションセンサ部３４は、例えば、３軸の加速度センサなどを備え、主制御部３８の指示にしたがって、スマートフォン１０の物理的な動きを検出する。スマートフォン１０の物理的な動きを検出することにより、スマートフォン１０の動く方向や加速度が検出される。係る検出結果は、主制御部３８に出力されるものである。  
【００５０】
電源部３６は、主制御部３８の指示にしたがって、スマートフォン１０の各部に、バッテリ（図示しない）に蓄えられる電力を供給するものである。
【００５１】
主制御部３８は、マイクロプロセッサを備え、記憶部２８が記憶する制御プログラムや制御データにしたがって動作し、スマートフォン１０の各部を統括して制御するものである。また、主制御部３８は、無線通信部２４を通じて、音声通信やデータ通信を行うために、通信系の各部を制御する移動通信制御機能と、アプリケーション処理機能を備える。
【００５２】
アプリケーション処理機能は、記憶部２８が記憶するアプリケーションソフトウェアにしたがって主制御部３８が動作することにより実現するものである。アプリケーション処理機能としては、例えば、外部入出力部３０を制御して対向機器とデータ通信を行う赤外線通信機能や、電子メールの送受信を行う電子メール機能、ウェブページを閲覧するウェブブラウジング機能などがある。
【００５３】
また、主制御部３８は、受信データやダウンロードしたストリーミングデータなどの画像データ（静止画像や動画像のデータ）に基づいて、映像を表示入力部１４に表示する等の画像処理機能を備える。画像処理機能とは、主制御部３８が、上記画像データを復号し、係る復号結果に画像処理を施して、画像を表示入力部１４に表示する機能のことをいう。
【００５４】
更に、主制御部３８は、表示パネル１４Ａに対する表示制御と、操作部２０、操作パネル１４Ｂを通じたユーザ操作を検出する操作検出制御とを実行する。
【００５５】
表示制御の実行により、主制御部３８は、アプリケーションソフトウェアを起動するためのアイコンや、スクロールバーなどのソフトウェアキーを表示したり、あるいは電子メールを作成するためのウィンドウを表示したりする。なお、スクロールバーとは、表示パネル１４Ａの表示領域に収まりきれない大きな画像などについて、画像の表示部分を移動する指示を受け付けるためのソフトウェアキーのことをいう。
【００５６】
また、操作検出制御の実行により、主制御部３８は、操作部２０を通じたユーザ操作を検出したり、操作パネル１４Ｂを通じて、上記アイコンに対する操作や、上記ウィンドウの入力欄に対する文字列の入力を受け付けたり、あるいは、スクロールバーを通じた表示画像のスクロール要求を受け付ける。
【００５７】
更に、操作検出制御の実行により主制御部３８は、操作パネル１４Ｂに対する操作位置が、表示パネル１４Ａに重なる重畳部分（表示領域）か、それ以外の表示パネル１４Ａに重ならない外縁部分（非表示領域）かを判定し、操作パネル１４Ｂの感応領域や、ソフトウェアキーの表示位置を制御するタッチパネル制御機能を備える。
【００５８】
また、主制御部３８は、操作パネル１４Ｂに対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【００５９】
カメラ部２２は、ＣＭＯＳ（Complementary Metal Oxide Semiconductor）やＣＣＤ（Charge-Coupled Device）などの撮像素子を用いて電子撮影するデジタルカメラである。また、カメラ部２２は、主制御部３８の制御により、撮像によって得た画像データを例えばＪＰＥＧ（Joint Photographic coding Experts Group）などの圧縮した画像データに変換し、記憶部２８に記録したり、外部入出力部３０や無線通信部２４を通じて出力したりすることができる。図１に示すにスマートフォン１０において、カメラ部２２は表示入力部１４と同じ面に搭載されているが、カメラ部２２の搭載位置はこれに限らず、表示入力部１４の背面に搭載されてもよいし、あるいは、複数のカメラ部２２が搭載されてもよい。なお、複数のカメラ部２２が搭載されている場合には、撮影に供するカメラ部２２を切り替えて単独にて撮影したり、あるいは、複数のカメラ部２２を同時に使用して撮影したりすることもできる。
【００６０】
また、カメラ部２２はスマートフォン１０の各種機能に利用することができる。例えば、表示パネル１４Ａにカメラ部２２で取得した画像を表示することや、操作パネル１４Ｂの操作入力のひとつとして、カメラ部２２の画像を利用することができる。また、ＧＰＳ受信部３２が位置を検出する際に、カメラ部２２からの画像を参照して位置を検出することもできる。更には、カメラ部２２からの画像を参照して、３軸の加速度センサを用いずに、或いは、３軸の加速度センサと併用して、スマートフォン１０のカメラ部２２の光軸方向を判断することや、現在の使用環境を判断することもできる。勿論、カメラ部２２からの画像をアプリケーションソフトウェア内で利用することもできる。
【００６１】
その他、静止画又は動画の画像データにＧＰＳ受信部３２により取得した位置情報、マイクロホン１８により取得した音声情報（主制御部３８等により、音声テキスト変換を行ってテキスト情報となっていてもよい）、モーションセンサ部３４により取得した姿勢情報等などを付加して記憶部２８に記録したり、外部入出力部３０や無線通信部２４を通じて出力したりすることもできる。
【００６２】
ところで、本実施形態に係るスマートフォン１０は、内部記憶部２８Ａまたは外部記憶部２８Ｂの少なくとも一方に画像情報が記憶され、かつユーザ操作によって当該画像情報の一覧表示が指示された場合、表示パネル１４Ａに当該一覧表示を行わせる制御を行う。
【００６３】
また、スマートフォン１０は、上記画像情報を含んだ複数の電子化ファイル（以下、単に「ファイル」ともいう。）を記憶部２８に記憶している場合、各ファイルの各々毎に対応付けられた付帯情報を記憶している。
【００６４】
図３に示すように、付帯情報４０は、ファイル名を示すファイル名情報４０ａ、ファイルが撮影によって得られた画像ファイルである場合の撮影に用いたカメラの種類及びレンズの種類などを示す分類ラベル情報４０ｂを有する。また、付帯情報４０は、ファイルの作成者（ファイルが撮影によって得られた画像ファイルである場合には撮影者）を示す撮影者／作成者情報４０ｃを有する。また、付帯情報４０は、ファイルが撮影によって得られた画像ファイルである場合の撮影場所を示す撮影場所情報４０ｄを有する。また、付帯情報４０は、ファイルの作成日（ファイルが撮影によって得られた画像ファイルである場合には撮影日）を示す撮影日／作成日情報４０ｅを有する。さらに、付帯情報４０は、ファイルに関連する情報である関連情報４０ｆ、及びファイルの格納場所を示す格納場所情報４０ｇを有する。なお、関連情報４０ｆは、ファイルの作成時に付加される情報であっても良く、ユーザ操作によって任意のタイミングで入力された情報であっても良い。また、付帯情報４０として対応付けられる情報はこれに限定されず、モーションセンサ部３４により取得した姿勢情報などを含んでいても良く、これらの情報の複数を組み合わせた情報であっても良い。
【００６５】
また、スマートフォン１０は、ユーザ操作に応じて、記憶部２８に記憶されているファイルやアプリケーションプログラムを表すアイコンの画像を表示パネル１４Ａに一覧表示させることができる。また、スマートフォン１０は、これらのファイルのうち、撮影などによって得られた複数の画像を示す画像ファイルについて、当該画像ファイルが示す画像を各々同程度のサイズに拡大または縮小して一覧表示させることもできる。
【００６６】
ユーザは、表示パネル１４Ａに一覧表示された画像を閲覧した際に、一覧表示された画像のうちの何れかの画像に関連する画像があるか否か、さらには関連する画像がある場合にはどの画像が関連する画像であるかを確認したい場合がある。
【００６７】
そこで、本実施形態に係るスマートフォン１０は、表示パネル１４Ａにより表示された複数の画像の何れかの選択指示を受け付ける。また、スマートフォン１０は、選択指示が受け付けられた画像に対応付けられた付帯情報４０に関連する付帯情報４０が対応付けられた画像が上記複数の画像に含まれるか否かを判定する。そして、スマートフォン１０は、含まれると判定した場合、表示パネル１４Ａに、当該画像を特定することが可能なマーキングなどの存在情報を表示させる。
【００６８】
次に、図４を参照して、本実施形態に係るスマートフォン１０の作用を説明する。なお、図４は、操作パネル１４Ｂまたは操作部２０を介して実行指示が入力された際にスマートフォン１０の主制御部３８によって実行される表示制御処理プログラムの処理の流れを示すフローチャートである。当該プログラムは、内部記憶部２８Ａの所定領域に予め記憶されている。
【００６９】
ステップＳ１００では、表示パネル１４Ａに、画面遷移の起点となるメニュー画面４２を表示させる制御を行う。
【００７０】
図５（Ａ）は、本実施形態に係るメニュー画面４２の一例を示している。図５（Ａ）に示すように、メニュー画面４２は、例えばメール機能の起動を指示するためのメールボタン４４ａ、ウェブブラウジング機能の起動を指示するためのウェブボタン４４ｂ、カメラ機能の起動を指示するためのカメラボタン４４ｃを有する。また、メニュー画面４２は、画像一覧機能の起動を指示するための画像一覧ボタン４４ｄ、通話機能の起動を指示するための通話ボタン４４ｅ、各種設定機能の起動を指示するための設定ボタン４４ｆなどのメニューボタンを有する。
【００７１】
ユーザは、メニュー画面４２において所望のメニューボタンの上面に触れることによりメニュー項目を選択する。これに応じて主制御部３８は、選択されたメニューボタンに対応する機能を起動する。
【００７２】
そこで、次のステップ１０１では、ユーザによる何れかのメニューボタンの選択待ちを行う。次のステップ１０２では、ユーザによって選択されたメニューボタンが画像一覧ボタン４４ｄであったか否かを判定して、否定反応となった場合はステップＳ１０３に移行し、選択されたメニューボタンに対応する機能を実行した後に、本プログラムを終了する。一方、肯定反応となった場合は、ステップＳ１０４に移行する。
【００７３】
ステップＳ１０４では、記憶部２８に記憶されている複数の画像を一覧表示する一覧表示画面を表示パネル１４Ａに表示するように制御する。
【００７４】
図５（Ｂ）は、本実施形態に係る画像一覧画面４６の一例を示している。図５（Ｂ）に示すように、画像一覧画面４６は、複数の画像４８をマトリックス状に表示すると共に、表示制御処理プログラムを終了させる際に指定される終了ボタン５０を表示する。なお、複数の画像４８は、記憶部２８に記憶されている各画像情報が示す画像である。
【００７５】
ステップＳ１０５では、操作パネル１４Ｂを介した入力操作があったか否かを判定する。
【００７６】
ステップＳ１０５において入力操作があったと判定した場合、ステップＳ１０６に移行し、接触指定されたボタンが終了ボタン５０であるか否かにより、当該入力操作が表示制御処理プログラムを終了させる指示の入力操作であるか否かを判定する。
【００７７】
ステップＳ１０５において表示制御処理プログラムを終了させる指示の入力操作でないと判定した場合、ステップＳ１０７に移行し、上記入力操作が、画像の選択のための入力操作であるか否かを判定する。ステップＳ１０７において画像の選択のための入力操作でないと判定した場合、上記ステップＳ１０５に戻る。
【００７８】
ステップＳ１０７において画像の選択のための入力操作であると判定した場合、ステップＳ１０９に移行し、選択された画像に対応付けられた付帯情報４０を記憶部２８から取得し、取得した付帯情報４０を表示パネル１４Ａに表示する制御を行う。これにより、ユーザは、選択した画像に対応付けられている付帯情報４０を確認することができる。
【００７９】
ここで、図６（Ａ）に示すように、画像一覧画面４６に表示されている複数の画像４８のうち破線で囲まれた画像４８（例えば図３に示す「ｆｉｇ１」）が選択されたとする。この場合、図６（Ｂ）に示すように、画像一覧画面４６において、選択された画像に対応付けられた付帯情報４０を示す付帯情報表示部５２を表示する。付帯情報表示部５２には、例えば、「ｆｉｇ１」の画像に対応付けられた撮影日／作成日情報４０ｅである「２０１２／６／６」、関連情報４０ｆである「フランス料理」及び「エスカルゴ」などの項目５２ａが表示される。また、付帯情報表示部５２には、付帯情報表示部５２の表示の終了指示を受け付けるための付帯情報非表示ボタン５２ｂが表示される。
【００８０】
ステップＳ１１１では、ステップＳ１０９において表示された付帯情報４０の何れかの項目５２５２が選択されたか否かを判定する。
【００８１】
ステップＳ１１１において項目５２ａが選択されていないと判定した場合、ステップＳ１１３に移行し、接触指定されたボタンが付帯情報非表示ボタン５２ｂであるか否かにより、付帯情報４０を非表示にする指示されたか否かを判定する。
【００８２】
ステップＳ１１３において付帯情報４０を非表示にするように指示されたと判定した場合、ステップＳ１１５に移行し、付帯情報表示部５２の表示を終了することにより付帯情報４０を非表示にするように制御し、ステップＳ１０３に移行する。この場合、表示パネル１４Ａには、図５（Ｂ）に示す画像一覧画面４６のみが表示される。
【００８３】
一方、ステップＳ１１１において項目５２ａが選択されたと判定した場合、ステップＳ１１７に移行し、記憶部２８に記憶されている複数の画像の画像情報から、選択された項目５２ａに関連する付帯情報４０に対応付けられた画像情報（以下、「対応画像情報」という。）を検索する。
【００８４】
ステップＳ１１９では、ステップＳ１１７における検索の結果、選択された対応画像情報があったか否かを判定する。なお、選択された項目５２ａに関連する付帯情報とは、選択された項目５２ａと同一の項目を有する付帯情報であっても、類似する付帯情報であっても良い。また、類似する付帯情報は、撮影日／作成日情報４０ｅにおける日付が予め定められた同一の期間内に属する付帯情報や、撮影場所情報４０ｄにより示される撮影場所が予め定められた同一のエリア内に属する付帯情報などである。また、類似する付帯情報は、複数の関連情報４０ｆを有する場合に、関連情報４０ｆの一部が同一である付帯情報であっても良い。あるいは、複数の付帯情報からなるグループを予め定めて記憶部２８に記憶しておき、同一のグループに属する付帯情報を関連する付帯情報としても良い。
【００８５】
ステップＳ１１９において対応画像情報がないと判定した場合、ステップＳ１２１に移行し、対応画像情報がない旨を表示パネル１４Ａに表示するように制御する。
【００８６】
図７（Ａ）に示すように、例えば、項目５２ａとして「フランス料理」が選択され、かつ「フランス料理」に関連する付帯情報４０に対応付けられた画像情報がないとする。この場合、図７（Ｂ）に示すように、画像一覧画面４６に重ねて、関連する付帯情報４０に対応付けられた画像情報がない旨を表示する警告表示部５４が表示される。また、警告表示部５４は、警告の内容が確認された旨を入力するための了解ボタン５４ａを有している。そして、ユーザ操作による了解ボタン５４ａの選択を受け付けると、ステップＳ１０３に移行する。
【００８７】
一方、ステップＳ１１９において対応画像情報があると判定した場合、ステップＳ１２３に移行し、対応画像情報により示される画像が表示パネル１４Ａに表示されているか否かを判定する。
【００８８】
ステップＳ１２３において表示されていると判定した場合、ステップＳ１２５に移行し、対応画像情報であることを示すマークを表示パネル１４Ａに表示するように制御する。当該マークは、対応画像情報が存在していることを示していれば良く、対応画像情報が示す画像に対する吹き出しの表示であっても良い。また、当該マークは、対応画像情報が示す画像を強調するマーキングによる表示であっても良い。これにより、ユーザは、どの画像が関連する画像であるかを容易に確認することができる。
【００８９】
図８（Ａ）に示すように、例えば、項目５２ａとして「フランス料理」が選択され、かつ「フランス料理」に関連する付帯情報４０に対応付けられた画像情報により示される画像が表示されているとする。この場合、図８（Ｂ）に示すように、画像一覧画面４６において、対応画像情報により示される画像に対して、例えばファイル名情報４０ａが表示された吹き出し５６が表示される。また、画像一覧画面４６において、上記マークまたは後述する位置情報の表示の終了を指示するための存在情報非表示ボタン６０が表示される。
【００９０】
一方、ステップＳ１２３において表示されていないと判定した場合、ステップＳ１２７に移行し、対応画像情報により示される画像の存在位置から、表示パネル１４Ａに表示されている位置情報の領域までの距離を導出する。なお、ここでいう存在位置は、表示パネル１４Ａの表示領域をスクロールによって表示される領域を含めた画像一覧画面４６における存在位置である。
【００９１】
ステップＳ１２９では、対応画像情報の存在位置を示す位置情報を表示パネル１４Ａに表示するように制御する。これにより、ユーザは、関連する画像が存在するが表示パネル１４Ａには表示されていないことを確認することができる。
【００９２】
図８（Ａ）に示すように、例えば、項目５２ａとして「フランス料理」が選択され、かつ「フランス料理」に関連する付帯情報４０に対応付けられた表示中でない画像情報があるとする。この場合、図８（Ｂ）に示すように、例えばファイル名情報４０ａが表示された吹き出し５８が表示される。この際、主制御部３８は、対応画像情報が示す画像の存在位置から表示領域までの最短の距離となる位置を導出する。そして、主制御部３８は、導出した位置に、ステップＳ１２７において導出した距離に相当する長さの引き出し線を有する吹き出し５８を表示パネル１４Ａに表示するように制御する。
【００９３】
図９及び図１０は、本実施形態に係る画像一覧画面４６の別例を示している。図８（Ａ）に示すように、例えば、項目５２ａとして「フランス料理」が選択され、かつ「フランス料理」に関連する付帯情報４０に対応付けられた表示中でない画像情報がある場合に、ステップＳ１２７の処理を必ずしも行う必要はない。すなわち、図９に示すように、例えばファイル名情報４０ａが表示された吹き出し５８が、互いに長さが等しい引き出し線を有するように表示しても良い。
【００９４】
また、図１０に示すように、画像一覧画面４６において、吹き出し５６、５８を用いずに、上記マークとして画像の周囲を囲む強調表示６２を行ったり、画像一覧画面４６の辺部に、位置情報として、例えばファイル名が表示されたタグ５８Ａを表示したりしても良い。
【００９５】
ステップＳ１２５においてマークを表示した後、あるいはステップＳ１２９において位置情報を表示した後、ステップＳ１３１に移行し、他の対応画像情報が存在するか否かを判定する。
【００９６】
ステップＳ１３１において他の対応画像情報が存在すると判定した場合、上記ステップＳ１２３に戻る。一方、ステップＳ１３１において他の対応画像情報が存在しないと判定した場合、ステップＳ１３３に移行し、接触指定されたボタンが存在情報非表示ボタン６０であるか否かにより、上記マークまたは位置情報を非表示にする指示が入力されたか否かを判定する。
【００９７】
ステップＳ１３３において非表示にする指示が入力されたと判定した場合、ステップＳ１３５に移行し、マークが表示されている場合にはマークの表示を中止する。また、位置情報が表示されている場合には位置情報の表示を中止するように制御する。そして、マークの表示を中止した後、あるいは位置情報の表示の中止した後、上記ステップＳ１０３に戻る。
【００９８】
一方、ステップＳ１３３において非表示にする指示が入力されていないと判定した場合、ステップＳ１３７に移行し、位置情報が画像一覧画面４６に表示されているか否かを判定する。ステップＳ１３７において位置情報が画像一覧画面４６に表示されていないと判定した場合、上記ステップＳ１０３に戻る。
【００９９】
ステップＳ１３７において位置情報が画像一覧画面４６に表示されていると判定した場合、ステップＳ１３９に移行し、位置情報が選択されたか否かを判定する。この際、主制御部３８は、ユーザ操作により、ステップＳ１２９において表示した位置情報である吹き出し５８の何れか１つが選択された場合、位置情報が選択されたと判定する。
【０１００】
ステップＳ１３９において位置情報が選択されたと判定した場合、ステップＳ１４１に移行し、選択された位置情報が存在位置を示す画像情報によって示される画像を表示パネル１４Ａに表示するように制御し、ステップＳ１０３に移行する。
【０１０１】
図１１（Ａ）に示すように、画像一覧画面４６から、例えば、ファイル名が「ｆｉｇ２２」とされている画像情報（以下、「指定画像情報」という。）の存在位置を示す吹き出し５８が選択されたとする。この場合、図１１（Ｂ）に示すように、表示内容を正面視右方向にスクロールさせ、指定画像情報により示される画像が表示される位置でスクロールを停止させる。この際、指定画像情報により示される画像の存在位置を示す吹き出し５８は、指定画像情報により示される画像が表示された段階で、マークとして、当該画像に対する吹き出し５６Ａに変更されて表示される。
【０１０２】
一方、ステップＳ１３９において位置情報が選択されていないと判定した場合、ステップＳ１４３に移行し、接触指定されたボタンが終了ボタン５０であるか否かにより、表示制御処理プログラムを終了させる指示の入力操作がされたか否かを判定する。
【０１０３】
ステップＳ１０５またはステップＳ１４３において表示制御処理プログラムを終了させる指示の入力操作がされたと判定した場合、ステップＳ１４５に移行し、表示パネル１４Ａによる画像一覧画面４６の表示を終了するように制御した後、本表示制御処理プログラムを終了する。
【０１０４】
このように、本実施形態に係るスマートフォン１０は、表示手段である表示パネル１４Ａに表示させる画像を示す画像情報と該画像情報に関する少なくとも１つの付帯情報とを対応させて複数組記憶している。また、表示手段に表示させた複数の画像の中から何れかの画像が選択された場合に、記憶された画像情報の中に、選択された画像に対応する付帯情報と関連する付帯情報が対応して記憶された画像情報が含まれるか否かを判定する。また、記憶された画像情報に基づいて、表示手段に複数の画像を表示させ、含まれると判定された画像情報に基づいた関連画像を表示手段に表示させた場合に、表示手段に表示させた関連画像に対して関連画像であることを示すマークを表示させる。
【０１０５】
また、この際、選択指示が受け付けられた前記画像に対応付けられた付帯情報４０が複数の場合、表示手段により、存在情報の表示に先立ち、複数の付帯情報４０を表示し、複数の付帯情報４０の何れかの選択指示をさらに受け付ける。さらに、選択指示が受け付けられた付帯情報４０に関連する付帯情報が対応付けられた画像が存在するか否かを特定する。
【０１０６】
なお、表示制御処理のステップＳ１０１において表示される画像一覧画面４６において、図１２に示すように、検索用語を入力する検索用語入力部７０、及び検索用語を用いた検索を指示するための検索ボタン７２を備えていても良い。
【０１０７】
主制御部３８は、検索用語入力部７０を表示している際、ユーザの指が検索用語入力部７０に触れたことを検出した場合に、表示パネル１４Ａに文字キーが配列されたキー入力部を表示して、ユーザに文字キーを用いた検索用語の入力を促す。あるいは、主制御部３８は、ユーザの指が検索用語入力部７０に触れたことを検出した場合に、記憶部２８に記憶されている付帯情報４０に含まれている語句を選択肢として表示パネル１４Ａに表示させても良い。選択肢を表示した場合には、ユーザが選択肢の何れかを選択することによって入力することができる。
【０１０８】
ユーザは、操作パネル１４Ｂを介して検索用語入力部７０に検索用語を入力し、検索ボタン７２を選択する。主制御部３８は、ユーザの指が検索ボタン７２に触れたことを検出すると、ステップＳ１１７の処理と同様に、検索用誤入力部７０に入力された検索用語を用いて検索を行う。また、主制御部３８は、ステップ１１７の処理を行った後、ステップＳ１１９乃至Ｓ１４３の処理を行う。これにより、表示パネル１４Ａに表示されている画像に関連する画像の存在のみならず、ユーザが入力した検索用語に関連する画像の存在を容易に把握することができる。
【０１０９】
〔第２実施形態〕
【０１１０】
以下、第２実施形態に係るスマートフォン１０について説明する。
【０１１１】
第２実施形態に係るスマートフォン１０は、第１実施形態に係るスマートフォン１０と同様に、図１及び図２に示す構成を有する。
【０１１２】
第１実施形態に係るスマートフォン１０は、付帯情報４０を表示した上で、付帯情報４０に基づく画像情報の検索を行う。一方、第２実施形態に係るスマートフォン１０は、付帯情報４０を表示せずに、付帯情報４０に基づく画像情報の検索を行う。
【０１１３】
次に、図１３を参照して、本実施形態に係るスマートフォン１０の作用を説明する。なお、図１３は、操作パネル１４Ａまたは操作部２０を介して実行指示が入力された際にスマートフォン１０の主制御部３８によって実行される本第２実施形態に係る表示制御処理プログラムの処理の流れを示すフローチャートである。当該プログラムは、内部記憶部２８Ａの所定領域に予め記憶されている。
【０１１４】
また、図１３における図４と同一の処理を行うステップには図４と同一のステップ番号を付して、その説明を極力省略する。
【０１１５】
始めに、ステップＳ１００乃至Ｓ１０７では、それぞれ第１実施形態のステップＳ１００乃至Ｓ１０７と同様の処理を行う。
【０１１６】
ステップＳ１０７において画像が選択されたと判定した場合、ステップＳ２０１に移行し、選択された画像に付帯情報４０が対応付けられているか否かを判定する。
【０１１７】
ステップＳ２０１において付帯情報４０が対応付けられていないと判定した場合、ステップＳ２０３に移行し、主制御部２０は、付帯情報４０が対応付けられていない旨を表示パネル１４Ａに表示する制御を行い、上記ステップＳ１０３に戻る。この際、上記ステップＳ１２１と同様の手法で、付帯情報４０が対応付けられていない旨を表示させると良い。
【０１１８】
ステップＳ２０１において付帯情報４０が対応付けられていると判定した場合、ステップＳ１１７乃至Ｓ１４５では、それぞれ第１実施形態のステップＳ１１７乃至Ｓ１４５と同様の処理を行う。
【０１１９】
このように、本実施形態に係るスマートフォン１０は、表示手段である表示パネル１４Ａにより表示された複数の画像の何れか１つの選択指示を受け付ける。また、選択指示が受け付けられた画像に対応付けられた付帯情報４０に関連する付帯情報が対応付けられた画像が存在するか否かを特定する。さらに、存在すると特定された場合、表示手段により画像が存在することを示す存在情報を表示する。これにより、表示中の画像に関連する画像の存在を容易に把握することができる。
【０１２０】
なお、本実施形態では、表示パネル１４Ａに表示された複数の画像のうち何れかの画像が選択された場合に、選択された画像に付帯された付帯情報４０に関連する付帯情報が付帯された画像を検索するが、これに限定されない。
【０１２１】
さらに、上記実施の形態では、本発明をコンピュータ・プログラムの実行によるソフトウェアにより実現した場合について説明したが、本発明はこれに限定されるものではなく、本発明はハードウェアのみにより実現してもよく、ハードウェアとソフトウェアとの組み合わせによって実現してもよいことは言うまでもない。
【符号の説明】
【０１２２】
１０  スマートフォン
１４Ａ  表示パネル
１４Ｂ  操作パネル
２８  記憶部
３８  主制御部
４０  付帯情報
４６  画像一覧画面
【図１】
2014071376.tif 000003
【図２】
2014071376.tif 000004
【図３】
2014071376.tif 000005
【図４】
2014071376.tif 000006
【図５】
2014071376.tif 000007
【図６】
2014071376.tif 000008
【図７】
2014071376.tif 000009
【図８】
2014071376.tif 000010
【図９】
2014071376.tif 000011
【図１０】
2014071376.tif 000012
【図１１】
2014071376.tif 000013
【図１２】
2014071376.tif 000014
【図１３】
2014071376.tif 000015